(57)【要約】【課題】テレビジョン受像装置（テレビ）、及びネットワークシステムにおいて、ネットワークに負荷がかかるのを防ぎつつ、監視対象者の状況を確認することができるようにする。【解決手段】テレビの電源がオン状態又はオフ状態にされたとき（Ｓ１）、テレビの制御部は、テレビの電源状態を検知し（Ｓ２）、無線ＬＡＮユニットを制御して、検知した電源状態をディジタルカメラに送信する（Ｓ３）。ディジタルカメラは、無線ＬＡＮユニットによりテレビの電源状態を受信し、有線通信ユニットを制御し、インターネットを介して、サーバにテレビの電源情報を送信する（Ｓ４）。サーバは、受信したテレビの電源状態をユーザの行動パターンとしてハードディスクに記録し（Ｓ５）、このパターンが通常のパターンと異なるか否かを判定して（Ｓ６）、通常のパターンと異なる場合（Ｓ７でＮＯ）、メールや電話により、このことをユーザの家族などに知らせる（Ｓ８）。【選択図】図３
2007180987.tif 000002
【特許請求の範囲】
【請求項１】
記録媒体を有するサーバと通信可能なディジタルカメラに無線ＬＡＮを介して接続され、
テレビジョン放送信号(以下、ＴＶ放送信号という)を受信するチューナと、
前記チューナによって受信されたＴＶ放送信号に対して所定の処理を行う映像信号処理手段と、
前記映像信号処理手段から出力された映像信号に基いて映像を表示する映像表示手段と、
前記チューナによって受信されたＴＶ放送信号に対して所定の処理を行う音声信号処理手段と、
前記音声信号処理手段から出力された音声信号に基いて音声を出力する音声出力手段と、
装置本体の電源をオン状態又はオフ状態にする電源切換えボタン等を有する操作手段と、
装置各部を制御する制御手段とを備えたテレビジョン受像装置において、
装置本体の電源がオン状態かオフ状態かを検知する電源検知手段と、
無線ＬＡＮによる通信を行うための無線通信手段とをさらに備え、
前記制御手段は、ユーザが前記電源ボタンを操作することによって装置本体の電源がオン状態又はオフ状態にされたときに、前記電源検知手段により電源がオン状態又はオフ状態にされたことを検知し、前記無線通信手段を用いて、検知した電源状態を前記ディジタルカメラに送信し、
前記ディジタルカメラが、前記電源状態を受信して、前記サーバに該電源状態を送信し、該サーバが受信した該電源状態を前記記録媒体に記録することを特徴とするテレビジョン受像装置。
【請求項２】
無線ＬＡＮによる通信が可能なカメラを含むネットワークに接続され、
テレビジョン放送信号(以下、ＴＶ放送信号という)を受信するチューナと、
装置本体の電源をオン状態又はオフ状態にする電源切換えボタン等を有する操作手段と、
装置各部を制御する制御手段とを備えたテレビジョン受像装置において、
装置本体の電源がオン状態かオフ状態かを検知する電源検知手段と、
無線ＬＡＮによる通信を行うための無線通信手段とをさらに備え、
前記制御手段は、装置本体の電源がオン状態又はオフ状態にされたときに、前記電源検知手段により電源がオン状態又はオフ状態にされたことを検知し、前記無線通信手段を用いて、検知した電源状態を前記カメラに送信することを特徴とするテレビジョン受像装置。
【請求項３】
記録媒体を有するサーバと、このサーバと通信可能なディジタルカメラと、このディジタルカメラと無線ＬＡＮを介して通信可能なテレビジョン受像装置とを含むネットワークシステムにおいて、
前記ディジタルカメラは、前記サーバと有線通信を行なうための第１通信手段と、前記テレビジョン受像装置と無線通信を行なうための第２通信手段とを備え、
前記テレビジョン受像装置は、
装置本体の電源をオン状態又はオフ状態にする電源切換えボタン等を有する操作手段と、
装置各部を制御する制御手段と、
装置本体の電源がオン状態かオフ状態かを検知する電源検知手段と、
無線ＬＡＮによる通信を行なうための無線通信手段とを備え、
前記制御手段は、ユーザが前記電源ボタンを操作することによって装置本体の電源がオン状態又はオフ状態にされたときに、前記電源検知手段により電源がオン状態又はオフ状態にされたことを検知し、前記無線通信手段を用いて、検知した電源状態を前記ディジタルカメラに送信し、
前記ディジタルカメラは、前記第２通信手段を用いて前記テレビジョン受像装置から前記電源状態を受信すると共に、前記第１通信手段を用いて前記サーバに該電源状態を送信し、
前記サーバは、前記ディジタルカメラから受信した前記電源状態を前記記録媒体に記録することを特徴とするネットワークシステム。
【発明の詳細な説明】
【技術分野】
【０００１】
本発明は、ネットワーク上に接続されたテレビジョン受像装置に関し、特に電源のオン状態／オフ状態時の処理に関する。
【背景技術】
【０００２】
近年、独居老人等の見守りたい人の近くにいなくても、その人の状況を確認したいという要望がある。
【０００３】
そこで、室内に設置してあるテレビの上にカメラを設置し、監視対象となる人物（以下、監視対象者という）がよく見る番組にあわせて監視対象者を撮像し、撮像した画像データをネットワークを介して遠隔地に送信するシステムが知られている（例えば、特許文献１参照）。しかし、このシステムでは、ネットワークを介して画像データを送信するため、通信時のデータ量が多くなり、ネットワークに負荷がかかるという問題がある。
【特許文献１】特開２００３−４４９６０号公報
【発明の開示】
【発明が解決しようとする課題】
【０００４】
本発明は、上述した問題点を解決するためになされたものであり、ネットワークに負荷がかかるのを防ぎつつ、監視対象者の状況を確認することが可能なテレビジョン受像装置、及びネットワークシステムを提供することを目的とする。
【課題を解決するための手段】
【０００５】
上記目的を達成するために請求項１の発明は、記録媒体を有するサーバと通信可能なディジタルカメラに無線ＬＡＮを介して接続され、テレビジョン放送信号(以下、ＴＶ放送信号という)を受信するチューナと、前記チューナによって受信されたＴＶ放送信号に対して所定の処理を行う映像信号処理手段と、前記映像信号処理手段から出力された映像信号に基いて映像を表示する映像表示手段と、前記チューナによって受信されたＴＶ放送信号に対して所定の処理を行う音声信号処理手段と、前記音声信号処理手段から出力された音声信号に基いて音声を出力する音声出力手段と、装置本体の電源をオン状態又はオフ状態にする電源切換えボタン等を有する操作手段と、装置各部を制御する制御手段とを備えたテレビジョン受像装置において、装置本体の電源がオン状態かオフ状態かを検知する電源検知手段と、無線ＬＡＮによる通信を行うための無線通信手段とをさらに備え、前記制御手段は、ユーザが前記電源ボタンを操作することによって装置本体の電源がオン状態又はオフ状態にされたときに、前記電源検知手段により電源がオン状態又はオフ状態にされたことを検知し、前記無線通信手段を用いて、検知した電源状態を前記ディジタルカメラに送信し、前記ディジタルカメラが、前記電源状態を受信して、前記サーバに該電源状態を送信し、該サーバが受信した該電源状態を前記記録媒体に記録するものである。
【０００６】
請求項２に記載の発明は、無線ＬＡＮによる通信が可能なカメラを含むネットワークに接続され、テレビジョン放送信号(以下、ＴＶ放送信号という)を受信するチューナと、装置本体の電源をオン状態又はオフ状態にする電源切換えボタン等を有する操作手段と、装置各部を制御する制御手段とを備えたテレビジョン受像装置において、装置本体の電源がオン状態かオフ状態かを検知する電源検知手段と、無線ＬＡＮによる通信を行うための無線通信手段とをさらに備え、前記制御手段は、装置本体の電源がオン状態又はオフ状態にされたときに、前記電源検知手段により電源がオン状態又はオフ状態にされたことを検知し、前記無線通信手段を用いて、検知した電源状態を前記カメラに送信するものである。
【０００７】
請求項３に記載の発明は、記録媒体を有するサーバと、このサーバと通信可能なディジタルカメラと、このディジタルカメラと無線ＬＡＮを介して通信可能なテレビジョン受像装置とを含むネットワークシステムにおいて、前記ディジタルカメラは、前記サーバと有線通信を行なうための第１通信手段と、前記テレビジョン受像装置と無線通信を行なうための第２通信手段とを備え、前記テレビジョン受像装置は、装置本体の電源をオン状態又はオフ状態にする電源切換えボタン等を有する操作手段と、装置各部を制御する制御手段と、装置本体の電源がオン状態かオフ状態かを検知する電源検知手段と、無線ＬＡＮによる通信を行なうための無線通信手段とを備え、前記制御手段は、ユーザが前記電源ボタンを操作することによって装置本体の電源がオン状態又はオフ状態にされたときに、前記電源検知手段により電源がオン状態又はオフ状態にされたことを検知し、前記無線通信手段を用いて、検知した電源状態を前記ディジタルカメラに送信し、前記ディジタルカメラは、前記第２通信手段を用いて前記テレビジョン受像装置から前記電源状態を受信すると共に、前記第１通信手段を用いて前記サーバに該電源状態を送信し、前記サーバは、前記ディジタルカメラから受信した前記電源状態を前記記録媒体に記録するものである。
【発明の効果】
【０００８】
請求項１及び３の発明によれば、テレビジョン受像装置本体の電源がオン状態又はオフ状態にされたときに、制御手段が、電源がオン状態又はオフ状態にされたことを検知し、無線通信手段を用いて、検知した電源状態をディジタルカメラに送信する。そして、このディジタルカメラが受信した電源状態をサーバに送信する。これにより、上記特許文献１に記載の装置のように画像データをネットワークを介して送信する場合に比べて、ネットワークを介する通信データ量を少なくすることができるため、ネットワークに負荷がかかることを防ぐことができる。
【０００９】
請求項２の発明によれば、テレビジョン受像装置本体の電源がオン状態又はオフ状態にされたときに、制御手段が、電源がオン状態又はオフ状態にされたことを検知し、無線通信手段を用いて、検知した電源状態をカメラに送信する。これにより、上記特許文献１に記載の装置のように画像データをネットワークを介して送信する場合に比べて、ネットワークを介する通信データ量を少なくすることができるため、ネットワークに負荷がかかることを防ぐことができる。
【発明を実施するための最良の形態】
【００１０】
以下、本発明を実施するための最良の形態について図面を参照して説明する。本発明は、ハードディスク（記録媒体）を有するサーバと通信可能なディジタルカメラに無線ＬＡＮを介して接続されているテレビ（テレビジョン受像装置）、及びこれらの機器を含むネットワークシステムに関するものである。なお、以下に記載した実施形態は、本発明を網羅するものではなく、本発明は、下記の形態に限定されない。
【００１１】
図１は、無線ＬＡＮユニット（無線通信手段）を備えるテレビ、このテレビと無線ＬＡＮを介して接続されたディジタルカメラ、及びこのディジタルカメラと有線通信を介して接続されたサーバとから構成されるネットワークシステムを示す。このネットワークシステム１では、テレビ３とディジタルカメラ４とが相互に情報の送受信を行うことができ、また、ディジタルカメラ４とサーバ５も相互に情報の送受信を行うことができる。また、テレビ３とディジタルカメラ４とは、ユーザ（監視対象者）の家庭内に設定されており、ホームネットワーク２を構成している。
【００１２】
テレビ３は、無線ＬＡＮユニット３２を備える。テレビ３の詳細な構成は後述する。ディジタルカメラ４は、無線ＬＡＮユニット（第１通信手段）４１と、撮像ユニット４２と、音声マイク４３と、インターネット６に接続された有線通信ユニット（第２通信手段）（図示せず）とを備える。サーバ５は、インターネット６に接続された有線通信ユニット（図示せず）と、データを記録するハードディスクとを備える。テレビ３の無線ＬＡＮユニット３２とディジタルカメラ４の無線ＬＡＮユニット４１が互いに通信を行い、ディジタルカメラ４の有線通信ユニットとサーバ５の有線通信ユニットとがインターネット６を介して通信を行う。
【００１３】
次に、テレビ３の構成について、図２を参照して説明する。図２は、テレビ３の回路構成を示す。テレビ３は、テレビジョン放送信号(以下、ＴＶ放送信号という)を受信するアンテナ７を介してＴＶ放送信号を受信するチューナ３７と、チューナ３７によって受信されたＴＶ放送信号を処理する映像信号処理部（映像信号処理手段）３６と、映像信号処理部３６から出力された映像信号に基いて映像を出力するディスプレイ（映像表示手段）３３と、チューナ３７によって受信された音声信号を処理する音声信号処理部（音声処理手段）３８と、音声信号処理部３８から出力された音声信号に応じた音声を出力するスピーカ（音声出力手段）３９と、テレビ３への各種の操作を行うための操作部（操作手段）３１と、装置各部に電力を供給する電源部３４と、無線ＬＡＮユニット３２と、上記各部等を制御する制御部（制御手段）３５とを備える。
【００１４】
操作部３１は、テレビ３の電源をオン状態又はオフ状態にする電源切換えボタン等を有する。制御部３５は、テレビ３の電源がオン状態かオフ状態かを検知する電源検知手段としても機能する。
【００１５】
次に、テレビ３の電源がオン状態又はオフ状態にされたときの処理について、図１乃至図３を参照して説明する。まず、ユーザが操作部３１の電源ボタンを操作し、テレビ３の電源をオン状態又はオフ状態にすると（Ｓ１でＹＥＳ）、テレビ３の制御部３５は、テレビ３の電源がオン状態又はオフ状態にされたことを検知し（Ｓ２）、テレビ３の無線ＬＡＮユニット３２を制御して、検知したテレビ３の電源状態をディジタルカメラ４に送信する（Ｓ３）。
【００１６】
ディジタルカメラ４は、無線ＬＡＮユニット４１によりテレビ３の電源状態を受信し、有線通信ユニットを制御して、インターネット６を介して、サーバ５にテレビ３の電源情報を送信する（Ｓ４）。サーバ５は、受信したテレビ３の電源状態をユーザの行動パターンとしてハードディスクに記録し（Ｓ５）、ユーザの行動パターンが通常のパターンと異なるか否かを判定する（Ｓ６）。
【００１７】
この判定の結果、ユーザの行動パターンが通常のパターンと異なる場合（Ｓ７でＮＯ）、サーバ５は、メールや電話により、ユーザの家族などにユーザの行動パターンが通常パターンと異なることを知らせ（Ｓ８）、当処理を終了する。例えば、毎日ＡＭ７時にテレビ３の電源をオン状態にしていた一人暮らしのお年寄り（ユーザ）が、ＡＭ１０時にならないとテレビ３の電源をオン状態にしない場合、サーバ５が一人暮らしのお年寄りの家族に「生活パターンに変化が見られます。」などの文章が書かれたメールを送信する。また、別の例として、一人暮らしのお年寄り（ユーザ）が、毎日ＰＭ７時にはテレビ３の電源をオフ状態にするのに、ＰＭ１０時になっても電源をオフ状態にしない場合、サーバ５が、一人暮らしのお年寄りの家族に「テレビの電源がオン状態のままです。」などのメッセージを電話で知らせる。
【００１８】
一方、ユーザの行動パターンが通常のパターンと同じ場合（Ｓ７でＹＥＳ）、サーバ５は、上記Ｓ８の処理を行わず、当処理を終了する。なお、ユーザの異常を知った家族等は、自分のパソコン等からサーバ５にアクセスしてディジタルカメラ４の撮像ユニット４２及び音声マイク４３を遠隔操作して、ディジタルカメラ４により取得した映像や音声を確認することにより、ユーザの状態を確認することができる。
【００１９】
上記のように、本実施形態に係るテレビ３によれば、ユーザがテレビ３の電源をオン状態又はオフ状態にしたときに、テレビ３の制御部３５が無線ＬＡＮユニット３２を制御してディジタルカメラ４にテレビの電源状態を送信する。そして、ディジタルカメラ４が受信したテレビ３の電源状態をサーバ５に送信し、サーバ５がユーザの行動パターンが通常のパターンと異なるか否かを判定する。そのため、ネットワークシステム１内のネットワークを介する通信データ量を少なくすることができ、ネットワークシステム１内のネットワークに負荷がかかることを防ぐことができる。また、サーバ５にユーザの過去のテレビ３の電源のオン／オフ状態の記録を残すことができるので、例えば、ユーザの１週間毎の行動を把握することができる。
【００２０】
また、テレビ３とディジタルカメラ４とが無線ＬＡＮを介して接続されているので、ディジタルカメラ４をテレビ３と通信可能な範囲内の任意の場所に配置することができる。そのため、上記特許文献１の発明と異なり、テレビ３から離れた場所にもディジタルカメラ４を設置することができる。また、テレビ３とディジタルカメラ４との接続に無線ＬＡＮを用いるようにしたことにより、ディジタルカメラ４を複数台設置することが容易である。
【００２１】
なお、本発明は、上記実施形態の構成に限られず、発明の趣旨を変更しない範囲で種々の変形が可能である。例えば、上記実施形態では、ネットワークシステム１上に１台のテレビ３と２台のディジタルカメラ４を設置した例を示したが、これに限られず、テレビ３及びディジタルカメラ４の設置台数は任意である。また、上記実施形態では、ディジタルカメラ４とサーバ５とが、インターネット６を介して接続されている例を示したが、これに限られず、ディジタルカメラ４とサーバ５とが他の種類の回線を介して接続するものであってもよい。
【図面の簡単な説明】
【００２２】
【図１】本発明の一実施形態に係るテレビ、カメラ、及びサーバを示す図。
【図２】上記テレビの回路構成を示すブロック図。
【図３】上記テレビの電源をオン又はオフした場合の処理の手順を示す図。
【符号の説明】
【００２３】
１  ネットワークシステム
２  ホームネットワーク
３  テレビ（テレビジョン受像装置）
４  ディジタルカメラ（カメラ）
５  サーバ
６  インターネット
３１  操作部（操作手段）
３２  無線ＬＡＮユニット（無線通信手段）
３３  ディスプレイ（映像表示手段）
３４  電源部
３５  制御部（制御手段）
３６  映像信号処理部（映像信号処理手段）
３７  チューナ
３８  音声信号処理部（音声信号処理手段）
３９  スピーカ（音声出力手段）
４１  無線ＬＡＮユニット（第１通信手段）
【図１】
2007180987.tif 000003
【図２】
2007180987.tif 000004
【図３】
2007180987.tif 000005